(57)【要約】      （修正有）【課題】ＬＡＮケーブルのコネクタには、接続口に固定するためのロックレバーが設けられているが、非常に破損しやすい形状になっている。これを回避するために、別部品のカバーやレバーを追加するなどコストの上昇に繋がっている。【解決手段】ＬＡＮケーブルのコネクタに、接続口へ固定するために設けられているロックレバー先端の両側面に、レバーを引き上げる方向、横方向および捩り方向への力を規制し、ケーブルなどが巻き込まれることを防止するためのフックを設ける。フックの両先端には、コネクタ本体の両側面へ設けられた段差へ引っ掛かる爪を設けてあり、この爪は射出成型された後に弾性変形により勘合状態となる。ロックレバー先端のフックを両側面に配置することにより、ハウジングのレバーは安価な金型で製造することが可能な形状となると共に、ロックレバー側面からのリブなどに邪魔されずに操作面を広く取ることができる。【選択図】図２
2011171127.tif 000002
【特許請求の範囲】
【請求項１】
ケーブル接続口へ固定するために設けたロックレバーの折れ防止として、ロックレバー先端を引き上げる方向、横方向および捩り方向への力を規制するフックを、ロックレバー先端の両側面に設けたＬＡＮケーブル用コネクタ。
【請求項２】
ケーブル接続口へ固定するために設けたロックレバーの折れ防止として、ロックレバー先端を引き上げる方向、横方向および捩り方向への力を規制する機能を設けたＬＡＮケーブル用コネクタにおいて、ロックレバー先端の両側面にコネク本体の段差と勘合するフックを設けることによって、ロックレバーを押し込む操作面積を広げ、ロックレバーの操作性を向上させた形状。
【請求項３】
ケーブル接続口へ固定するために設けたロックレバーの折れ防止として、ロックレバー先端を引き上げる方向、横方向および捩り方向への力を規制する機能を設けたＬＡＮケーブル用コネクタにおいて、ロックレバー先端のフックと、コネクタ本体を一体で射出成型した後に、弾性変形によってコネク本体と勘合することで、 フックの爪とコネクタ本体の段差との勘合状態を外れにくくし、金型構造上でも上下の分割のみで、スライド機構を不要とする製造方法。
【請求項４】
ケーブル接続口へ固定するために設けたロックレバーの折れ防止として、ロックレバー先端を引き上げる方向、横方向および捩り方向への力を規制する機能を設けたＬＡＮケーブル用コネクタにおいて、ＬＡＮコネクタの差し込み口の両側には、コネクタを引き抜く際にレバーを押しながらコネクタ両側面を摘み易くすると同時に、フックのレバーへ指が干渉することを防止することを目的としたリブを設けた形状。
【発明の詳細な説明】
【技術分野】
【０００１】
本発明はロックレバーの折れを防止するストッパーを持つＬＡＮコネクタに関するものである。
【先行技術文献】
【特許文献】
【０００２】
【特許文献１】特表平１０−５０８４１９
【特許文献２】実登−３１００７０９
【特許文献３】特開平１０−１１４３９６
【特許文献４】特開平０２−１１２１８０
【特許文献５】特開平１１−４０２４９
【発明の概要】
【発明が解決しようとする課題】
【０００３】
ＬＡＮケーブルのコネクタには、接続口に固定するためのロックレバーが設けられているが、誤ってロックレバーをケーブルなどに引っ掛けてしまうことで、折れてしまうことが多い。これを回避するために、ロックレバーの外側をカバーで覆う手法や、別の可動レバーによって、ロックレバーが開く方向の動きを規制する手法が取られているが、新規の部品を付け加えることにより製品のコストが上昇してしまう。
【０００４】
また、ロックレバーの先端を曲げ、ロックレバーとコネクタ本体との隙間を狭くすることで、異物が引っ掛かり難い形状にしている例もあるが、ロックレバーとコネクタ本体との隙間に異物が引っ掛かることを完全に防止出来ておらず、ロックレバーは片持ち梁の構造となっているために、引き上げる方向に力が加えられると容易に破損してしまう。横方向やねじり方向に掛かる力に対しても、全く規制がされていないため、ロックレバーの先端に力が加えられると、付け根に応力が集中することになる。
【０００５】
この対策として、ロックレバーの両側面および上面に、ロックレバーの正規ストローク以外の動きを規制するリブを設ける例も考案されている。しかし、レバーとリブの間には非常に狭いクリアランスしかないため、コネクタを射出成形するための金型は、薄く複雑で、尚且つ上下方向へ分割出来ない形状となるため、金型の一部分を横方向へスライドさせながら開く複雑な構造となり、金型費や成形時間の増加をもたらす。また、製品の機能としても、レバーに隣接するリブが邪魔になり操作性が悪くなってしまう。
【課題を解決するための手段】
【０００６】
ＬＡＮケーブルのコネクタに、接続口へ固定するために設けられているロックレバー先端の両側面に、レバーを引き上げる方向と、横方向および捩り方向への力を規制し、ケーブルなどが巻き込まれることを防止するためのフックを設ける。
【０００７】
フックの両先端には、コネクタ本体の両側面へ設けられた段差へ引っ掛かる爪を設けてあり、この爪はハウジング単品として射出成型された時点ではコネクタ本体の段差には勘合していないが、ハウジングへ端子などの部品を組み付ける際に、ロックレバーの先端をコネクタ本体側へ押し込むことにより勘合状態となる。
【０００８】
射出成型後に弾性変形により勘合させ、尚且つロックレバー先端のフックを両側面に配置することにより、ハウジング単品の金型を設計する際に、上下へ分割する以外にスライド部分を分割する必要が無く、安価な金型で製造することが可能となる。
【０００９】
ロックレバー先端の両側面に設けられたフックの爪と、コネクタ本体の両側面へ設けられた段差は、ロックレバーおよびフックのアーム部を弾性変形させたことにより勘合しているので、勘合後は非常に外れにくい構造となっている。
【００１０】
ロックレバー先端へ、正規ストローク以外の動きを規制し、ケーブルなどが巻き込まれることを防止することによって、ロックレバーの長さを従来製品より延長することが可能となり、さらにフックをロックレバー先端から両側面に伸ばすことで、レバーを押し込む操作について、ロックレバー側面からのリブなどに邪魔されることなく操作面を広く取ることができる。
【００１１】
このように、本発明では追加の部品を必要とせず、金型の構造もスライド分割を必要としないままで、ロックレバーの先端を押す作業性を向上させ、レバーを引き上げる方向、横方向および捩り方向への力を規制し、ケーブルなどが巻き込まれることも防止している。
【発明を実施するための形態】
【実施例】
【００１２】
以下、図面を参照して本発明の好ましい実施形態について詳細に説明する。
図１はＬＡＮコネクタへ本発明を実施した斜視図であり、ハウジング単品として射出成型した状態である。この状態ではフックの爪と、コネクタ本体へ設けられた段差は勘合していない。
【００１３】
図２はフックの爪と、コネクタ本体へ設けられた段差を弾性変形により勘合させた状態の斜視図である。ハウジングへ端子などの部品を組み付ける際に、ロックレバーの先端をコネクタ本体側へ押し込むことにより、図１に示すフックの斜面５と、コネクタ本体に設けられた段差４の斜面が接触することでロックレバーのアーム部とフックのアーム部が互いに変形し、勘合状態となる。
【００１４】
ＬＡＮコネクタの差し込み口の両側には、コネクタを引き抜く際にレバーを押しながらコネクタ両側面を摘み易くすると同時に、フックのレバーへ指が干渉することを防止することを目的としたリブ６が設けられている。
【図面の簡単な説明】
【００１５】
【図１】本発明の好ましい実施形態であるＬＡＮコネクタを射出成型した状態の斜視図である。ロックレバー先端の両側面へのフック２と、コネクタ本体の両側面へ設けられた段差４が設けられており、フックの爪３とコネクタ本体の段差４は勘合していない。
【図２】上記で示したＬＡＮコネクタの、フックの爪３とコネクタ本体の段差４を勘合させた状態の斜視図である。
【符号の説明】
【００１６】
１：  ロックレバーのアーム部
２：  ロックレバー先端の両側面に設けられたフック
３：  フックの両先端に設けられた爪
４：  コネクタ本体の両側面に設けられた段差
５：  フックの斜面
６：  差し込み口の両側に設けられたリブ
【図１】
2011171127.tif 000003
【図２】
2011171127.tif 000004
【手続補正書】
【提出日】平成22年6月30日(2010.6.30)
【手続補正１】
【補正対象書類名】特許請求の範囲
【補正対象項目名】全文
【補正方法】変更
【補正の内容】
【特許請求の範囲】
【請求項１】
ケーブル接続口へ固定するために設けたロックレバーの折れ防止として、ロックレバー先端を引き上げる方向、横方向および捩り方向への力を規制するフックをロックレバー先端の両側面に設け、弾性変形によりコネク本体側面の段差がストッパーとなる位置関係にすることによって、部品点数を増やすことなく、コード等の巻き込みを防止し、ロックレバーの操作性を向上させながら、ロックレバーの保護を実現するＬＡＮケーブル用コネクタ。
【手続補正書】
【提出日】平成22年9月18日(2010.9.18)
【手続補正１】
【補正対象書類名】明細書
【補正対象項目名】０００７
【補正方法】変更
【補正の内容】
【０００７】
フックの両先端には、コネクタ本体の両側面へ設けられた段差へ引っ掛かる爪を設けてあり、この爪はハウジング単品として射出成型された時点ではコネクタ本体の段差には嵌合していないが、ハウジングへ端子などの部品を組み付ける際に、ロックレバーの先端をコネクタ本体側へ押し込むことにより嵌合状態となる。
【手続補正２】
【補正対象書類名】明細書
【補正対象項目名】０００８
【補正方法】変更
【補正の内容】
【０００８】
射出成型後に弾性変形により嵌合させ、尚且つロックレバー先端のフックを両側面に配置することにより、ハウジング単品の金型を設計する際に、上下へ分割する以外にスライド部分を分割する必要が無く、安価な金型で製造することが可能となる。
【手続補正３】
【補正対象書類名】明細書
【補正対象項目名】０００９
【補正方法】変更
【補正の内容】
【０００９】
ロックレバー先端の両側面に設けられたフックの爪と、コネクタ本体の両側面へ設けられた段差は、ロックレバーおよびフックのアーム部を弾性変形させたことにより嵌合しているので、嵌合後は非常に外れにくい構造となっている。
【手続補正４】
【補正対象書類名】明細書
【補正対象項目名】００１２
【補正方法】変更
【補正の内容】
【００１２】
以下、図面を参照して本発明の好ましい実施形態について詳細に説明する。
図１はＬＡＮコネクタへ本発明を実施した斜視図であり、ハウジング単品として射出成型した状態である。この状態ではフックの爪と、コネクタ本体へ設けられた段差は嵌合していない。
【手続補正５】
【補正対象書類名】明細書
【補正対象項目名】００１３
【補正方法】変更
【補正の内容】
【００１３】
図２はフックの爪と、コネクタ本体へ設けられた段差を弾性変形により嵌合させた状態の斜視図である。ハウジングへ端子などの部品を組み付ける際に、ロックレバーの先端をコネクタ本体側へ押し込むことにより、図１に示すフックの斜面５と、コネクタ本体に設けられた段差４の斜面が接触することでロックレバーのアーム部とフックのアーム部が互いに変形し、嵌合状態となる。
【手続補正６】
【補正対象書類名】明細書
【補正対象項目名】００１５
【補正方法】変更
【補正の内容】
【００１５】
【図１】本発明の好ましい実施形態であるＬＡＮコネクタを射出成型した状態の斜視図である。ロックレバー先端の両側面へのフック２と、コネクタ本体の両側面へ設けられた段差４が設けられており、フックの爪３とコネクタ本体の段差４は嵌合していない。
【手続補正７】
【補正対象書類名】特許請求の範囲
【補正対象項目名】全文
【補正方法】変更
【補正の内容】
【特許請求の範囲】
【請求項１】
ケーブル接続口へ固定するために設けたロックレバーの折れ防止として、ロックレバー先端へ横方向および捩り方向への力を規制するフックをロックレバー先端の両側面に設け、コネクタ本体の両側面へ設けられた段差と、ロックレバーおよびフックのアーム部を弾性変形させたことにより嵌合させることで、部品点数を増やすことなく、ロックレバー先端へ正規ストローク以外の動きを規制し、コード等の巻き込みを防止し、尚且つロックレバーの操作性向上を実現するＬＡＮケーブル用コネクタ。
【手続補正書】
【提出日】平成22年10月24日(2010.10.24)
【手続補正１】
【補正対象書類名】手続補正書
【補正対象項目名】手続補正６
【補正方法】変更
【補正の内容】
【手続補正６】
【補正対象書類名】明細書
【補正対象項目名】００１５
【補正方法】変更
【補正の内容】
【００１５】
【図１】本発明の好ましい実施形態であるＬＡＮコネクタを射出成型した状態の斜視図である。ロックレバー先端の両側面へのフック２と、コネクタ本体の両側面へ設けられた段差４が設けられており、フックの爪３とコネクタ本体の段差４は嵌合していない。
【図２】上記で示したＬＡＮコネクタの、フックの爪３とコネクタ本体の段差４を嵌合させた状態の斜視図である。